(57)【要約】本発明は、大きな温度差を有する環境間の境界面における、スプリンクラーシステムおよび設備に関する。冷温環境内の消火のためのスプリンクラーシステム設備は、可撓性ホースによって配管網に接続され、冷温環境を温度制御された暖温環境から分離する構造の基材内に支持されるドライスプリンクラーアセンブリを使用する。絶縁材料の外筒が、アセンブリの導管を囲繞し、導管および基材の両方に係合することによって、密閉をして、支持を提供する。エスカッションもまた、基材の両側に提供され、アセンブリに挟着作用をもたらす。
2014525277.tif 000002
【特許請求の範囲】
【請求項１】
消火液を搬送する配管網と流体連通して接続可能なスプリンクラーアセンブリであって、前記スプリンクラーアセンブリは、基材における開口部を通して延在可能であり、
前記基材の片側において前記配管網に接続可能な第１の端部と、前記基材の反対側に隣接して位置付け可能な第２の端部とを有する導管と、
前記液が前記導管に流入しないように防止する閉鎖位置と、前記液を前記導管を通して流動させる開放位置との間で移動可能な弁と、
前記導管の前記第２の端部に搭載されるスプリンクラーと、
前記開口部内に位置付けられて前記導管を囲繞する外筒と、
を備える、スプリンクラーアセンブリ。
【請求項２】
前記弁は、前記導管内に位置付けられる、請求項１に記載のスプリンクラーアセンブリ。
【請求項３】
前記外筒は、前記導管の前記第１の端部に近接して位置付けられる、請求項１に記載のスプリンクラーアセンブリ。
【請求項４】
前記外筒の一部は、前記開口部から延在し、前記アセンブリは、前記基材の片側に位置付けられて前記開口部を囲繞するエスカッションをさらに備え、前記エスカッションは、前記外筒の前記一部に係合する、請求項３に記載のスプリンクラーアセンブリ。
【請求項５】
前記基材の前記片側に位置付けられて前記開口部を囲繞するエスカッションをさらに備え、前記エスカッションは、前記導管に搭載される、請求項３に記載のスプリンクラーアセンブリ。
【請求項６】
前記エスカッションは、前記導管に螺着取着される、請求項５に記載のスプリンクラーアセンブリ。
【請求項７】
前記導管に係合して前記エスカッションに隣接するよう位置付けられるクランプをさらに備える、請求項５に記載のスプリンクラーアセンブリ。
【請求項８】
前記外筒は、前記導管の前記第２の端部に近接して位置付けられる、請求項１に記載のスプリンクラーアセンブリ。
【請求項９】
前記外筒の一部は、前記開口部から延在し、前記アセンブリは、前記基材の前記反対側に位置付けられて前記開口部を囲繞するエスカッションをさらに備え、前記エスカッションは、前記外筒の前記一部に係合する、請求項８に記載のスプリンクラーアセンブリ。
【請求項１０】
前記基材の前記反対側に位置付けられて前記開口部を囲繞するエスカッションをさらに備え、前記エスカッションは、前記導管に搭載される、請求項８に記載のスプリンクラーアセンブリ。
【請求項１１】
前記エスカッションは、前記導管に螺着取着される、請求項１０に記載のスプリンクラーアセンブリ。
【請求項１２】
前記エスカッションを前記導管に取着するために、前記導管に係合するクランプをさらに備える、請求項１０に記載のスプリンクラーアセンブリ。
【請求項１３】
前記基材の前記反対側に位置付けられて前記開口部を囲繞するエスカッションをさらに備え、前記エスカッションは、前記スプリンクラーに搭載される、請求項８に記載のスプリンクラーアセンブリ。
【請求項１４】
前記外筒は、前記導管の外向きに向いた表面と接触する内向きに向いた表面を有し、前記外筒はさらに、前記開口部内の前記基材の内向きに向いた表面と接触する外向きに向いた表面を有する、請求項１に記載のスプリンクラーアセンブリ。
【請求項１５】
前記外筒の前記外向きに向いた表面は、先細である、請求項１４に記載のスプリンクラーアセンブリ。
【請求項１６】
前記導管を前記配管網に接続するために、前記導管の前記第１の端部に取着される可撓性ホースをさらに備える、請求項１に記載のスプリンクラーアセンブリ。
【請求項１７】
消火液を搬送する配管網と流体連通して接続可能なスプリンクラーアセンブリであって、前記スプリンクラーアセンブリは、基材における開口部を通して延在可能であり、
前記基材の片側において前記配管網に接続可能な第１の端部と、前記基材の反対側に隣接して位置付け可能な第２の端部とを有する導管と、
前記液が前記導管に流入しないように防止する閉鎖位置と、前記液を前記導管を通して流動させる開放位置との間で移動可能な弁と、
前記導管の前記第２の端部に搭載されるスプリンクラーと、
前記開口部内に位置付けられて前記導管を囲繞する第１の外筒であって、前記導管の前記第１の端部に近接して位置付けられる、第１の外筒と、
前記開口部内に位置付けられて前記導管を囲繞する第２の外筒であって、前記導管の前記第２の端部に近接して位置付けられる、第２の外筒と、
を備える、スプリンクラーアセンブリ。
【請求項１８】
前記弁は、前記導管内に位置付けられる、請求項１７に記載のスプリンクラーアセンブリ。
【請求項１９】
前記第１の外筒は、前記導管の外向きに向いた表面と接触する内向きに向いた表面を有し、前記第１の外筒はさらに、前記開口部内の前記基材の内向きに向いた表面と接触する外向きに向いた表面を有する、請求項１７に記載のスプリンクラーアセンブリ。
【請求項２０】
前記第２の外筒は、前記導管の外向きに向いた表面と接触する内向きに向いた表面を有し、前記第２の外筒はさらに、前記開口部内の前記基材の内向きに向いた表面と接触する外向きに向いた表面を有する、請求項１７に記載のスプリンクラーアセンブリ。
【請求項２１】
前記基材の前記片側に位置付けられる第１のエスカッションをさらに備え、前記第１のエスカッションは、前記開口部を囲繞する、請求項１７に記載のスプリンクラーアセンブリ。
【請求項２２】
前記第１の外筒の一部は、前記開口部から延在し、前記第１のエスカッションは、前記第１の外筒の前記一部に係合する、請求項２１に記載のスプリンクラーアセンブリ。
【請求項２３】
前記第１のエスカッションは、前記導管に搭載される、請求項２１に記載のスプリンクラーアセンブリ。
【請求項２４】
前記基材の前記反対側に位置付けられる、第２のエスカッションをさらに備え、前記第２のエスカッションは、前記開口部を囲繞する、請求項２１に記載のスプリンクラーアセンブリ。
【請求項２５】
前記第２の外筒の一部は、前記開口部から延在し、前記第２のエスカッションは、前記第２の外筒の前記一部に係合する、請求項２４に記載のスプリンクラーアセンブリ。
【請求項２６】
前記第２のエスカッションは、前記導管に搭載される、請求項２４に記載のスプリンクラーアセンブリ。
【請求項２７】
前記第２のエスカッションは、前記スプリンクラーに搭載される、請求項２４に記載のスプリンクラーアセンブリ。
【請求項２８】
前記導管を前記配管網に接続するために、前記導管の前記第１の端部に取着される可撓性ホースをさらに備える、請求項１７に記載のスプリンクラーアセンブリ。
【請求項２９】
フリーザーであって、
複数の相互に接続された基材によって画定される区画と、
前記区画の外側に位置付けられて消火液を供給する配管網と、
少なくとも１つのスプリンクラーアセンブリであって、
前記基材のうちの１つにおける開口部を通して延在する導管であって、前記１つの基材の片側において前記配管網に接続される第１の端部と、前記１つの基材の反対側に隣接して位置付けられる第２の端部とを有する、導管と、
前記液が前記導管に流入しないように防止する閉鎖位置と、前記液を前記導管を通して流動させる開放位置との間で移動可能な弁と、
前記導管の前記第２の端部に搭載されるスプリンクラーと、
前記開口部内に位置付けられて前記導管を囲繞する外筒と、
を備える、スプリンクラーアセンブリと、
を備える、フリーザー。
【請求項３０】
前記弁は、前記導管内に位置付けられる、請求項２９に記載のフリーザー。
【請求項３１】
前記外筒は、前記導管の前記第１の端部に近接して位置付けられる、請求項２９に記載のフリーザー。
【請求項３２】
前記外筒の一部は、前記区画の外側の前記開口部から延在し、前記フリーザーは、前記１つの基材の前記片側に位置付けられて前記開口部を囲繞するエスカッションをさらに備え、前記エスカッションは、前記外筒の前記一部に係合する、請求項３１に記載のフリーザー。
【請求項３３】
前記１つの基材の前記片側に位置付けられて前記開口部を囲繞するエスカッションをさらに備え、前記エスカッションは、前記導管に搭載される、請求項３１に記載のフリーザー。
【請求項３４】
前記外筒は、前記導管の前記第２の端部に近接して位置付けられる、請求項２９に記載のフリーザー。
【請求項３５】
前記外筒の一部は、前記区画の内側の前記開口部から延在し、前記フリーザーは、前記１つの基材の前記反対側に位置付けられるエスカッションをさらに備え、前記エスカッションは、前記外筒の前記一部に係合する、請求項３４に記載のフリーザー。
【請求項３６】
前記１つの基材の前記反対側に位置付けられて前記開口部を囲繞するエスカッションをさらに備え、前記エスカッションは、前記導管に搭載される、請求項３４に記載のフリーザー。
【請求項３７】
前記１つの基材の前記反対側に位置付けられて前記開口部を囲繞するエスカッションをさらに備え、前記エスカッションは、前記スプリンクラーに搭載される、請求項３４に記載のフリーザー。
【請求項３８】
前記外筒は、前記導管の外向きに向いた表面と接触する内向きに向いた表面を有し、前記外筒はさらに、前記開口部内の前記基材の内向きに向いた表面と接触する外向きに向いた表面を有する、請求項２９に記載のフリーザー。
【請求項３９】
前記導管の前記第１の端部に取着された第１の端部と、前記配管網に取着された第２の端部とを有する可撓性ホースをさらに備える、請求項２９に記載のフリーザー。
【請求項４０】
フリーザーであって、
複数の相互に接続された基材によって画定される区画と、
前記区画の外側に位置付けられて消火液を供給する配管網と、
少なくとも１つのスプリンクラーアセンブリであって、
前記基材のうちの１つにおける開口部を通して延在する導管であって、前記１つの基材の片側において前記配管網に接続される第１の端部と、前記１つの基材の反対側に隣接して位置付けられる第２の端部とを有する、導管と、
前記液が前記導管に流入しないように防止する閉鎖位置と、前記液を前記導管を通して流動させる開放位置との間で移動可能な弁と、
前記導管の前記第２の端部に搭載されるスプリンクラーと、
前記開口部内に位置付けられて前記導管を囲繞する第１の外筒であって、前記導管の前記第１の端部に近接して位置付けられる、第１の外筒と、
前記開口部内に位置付けられて前記導管を囲繞する第２の外筒であって、前記導管の前記第２の端部に近接して位置付けられる、第２の外筒と、
を備える、スプリンクラーアセンブリと、
を備える、フリーザー。
【請求項４１】
前記弁は、前記導管内に位置付けられる、請求項４０に記載のフリーザー。
【請求項４２】
前記第１の外筒は、前記導管の外向きに向いた表面と接触する内向きに向いた表面を有し、前記第１の外筒はさらに、前記開口部内の前記基材の内向きに向いた表面と接触する外向きに向いた表面を有する、請求項４０に記載のフリーザー。
【請求項４３】
前記第２の外筒は、前記導管の外向きに向いた表面と接触する内向きに向いた表面を有し、前記第２の外筒はさらに、前記開口部内の前記基材の内向きに向いた表面と接触する外向きに向いた表面を有する、請求項４０に記載のフリーザー。
【請求項４４】
前記１つの基材の前記片側に位置付けられて前記開口部を囲繞する第１のエスカッションをさらに備える、請求項４０に記載のフリーザー。
【請求項４５】
前記第１の外筒の一部は、前記開口部から延在し、前記第１のエスカッションは、前記第１の外筒の前記一部に係合する、請求項４４に記載のフリーザー。
【請求項４６】
前記第１のエスカッションは、前記導管に搭載される、請求項４４に記載のフリーザー。
【請求項４７】
前記１つの基材の前記反対側に位置付けられて前記開口部を囲繞する第２のエスカッションをさらに備える、請求項４０に記載のフリーザー。
【請求項４８】
前記第２の外筒の一部は、前記開口部から延在し、前記第２のエスカッションは、前記第２の外筒の前記一部に係合する、請求項４７に記載のフリーザー。
【請求項４９】
前記第２のエスカッションは、前記導管に搭載される、請求項４７に記載のフリーザー。
【請求項５０】
前記第２のエスカッションは、前記スプリンクラーに搭載される、請求項４７に記載のフリーザー。
【請求項５１】
前記導管の前記第１の端部に取着された第１の端部と、前記配管網に取着された第２の端部とを有する可撓性ホースをさらに備える、請求項４０に記載のフリーザー。
【請求項５２】
スプリンクラー設備であって、
基材によって相互に分離される温度制御された内部空間と外部空間とを備える構造と、
前記温度制御された内部空間内に位置付けられて消火液を供給する配管網と、
少なくとも１つのスプリンクラーアセンブリであって、
前記基材における開口部を通して延在する導管であって、前記配管網に接続された第１の端部と、前記外部空間に隣接して位置付けられる第２の端部とを有する、導管と、
前記液が前記導管に流入しないように防止する閉鎖位置と、前記液を前記導管を通して流動させる開放位置との間で移動可能な弁と、
前記導管の前記第２の端部に搭載されて前記外部空間内に延在するスプリンクラーと、
前記開口部内に位置付けられて前記導管を囲繞する第１の外筒であって、前記導管の前記第１の端部に近接して位置付けられる、第１の外筒と、
前記開口部内に位置付けられて前記導管を囲繞する第２の外筒であって、前記導管の前記第２の端部に近接して位置付けられる、第２の外筒と、
を備える、スプリンクラーアセンブリと、
を備える、スプリンクラー設備。
【請求項５３】
前記弁は、前記導管内に位置付けられる、請求項５２に記載のスプリンクラー設備。
【請求項５４】
前記導管の前記第１の端部に取着された第１の端部と、前記配管網に取着された第２の端部とを有する可撓性ホースをさらに備える、請求項５２に記載のスプリンクラー設備。
【請求項５５】
前記第１の外筒は、前記導管の外向きに向いた表面と接触する内向きに向いた表面を有し、前記第１の外筒はさらに、前記開口部内の前記基材の内向きに向いた表面と接触する外向きに向いた表面を有する、請求項５２に記載のスプリンクラー設備。
【請求項５６】
前記第１の外筒の前記外向きに向いた表面は、先細である、請求項５５に記載のスプリンクラー設備。
【請求項５７】
前記第２の外筒は、前記導管の外向きに向いた表面と接触する内向きに向いた表面を有し、前記第２の外筒はさらに、前記開口部内の前記基材の内向きに向いた表面と接触する外向きに向いた表面を有する、請求項５６に記載のスプリンクラー設備。
【請求項５８】
前記第２の外筒の前記外向きに向いた表面は、先細である、請求項５６に記載のスプリンクラー設備。
【請求項５９】
前記内部空間内に位置付けられて前記開口部を囲繞する第１のエスカッションをさらに備える、請求項５２に記載のスプリンクラー設備。
【請求項６０】
前記第１の外筒の一部は、前記開口部から延在し、前記第１のエスカッションは、前記第１の外筒の前記一部に係合する、請求項５８に記載のスプリンクラー設備。
【請求項６１】
前記第１のエスカッションは、前記導管に搭載される、請求項５８に記載のスプリンクラー設備。
【請求項６２】
前記外部空間内に位置付けられて前記開口部を囲繞する第２のエスカッションをさらに備える、請求項５８に記載のスプリンクラー設備。
【請求項６３】
前記第２の外筒の一部は、前記開口部から延在し、前記第２のエスカッションは、前記第２の外筒の前記一部に係合する、請求項６１に記載のスプリンクラー設備。
【請求項６４】
前記第２のエスカッションは、前記導管に搭載される、請求項６１に記載のスプリンクラー設備。
【請求項６５】
前記第２のエスカッションは、前記スプリンクラーに搭載される、請求項６１に記載のスプリンクラー設備。
【発明の詳細な説明】
【技術分野】
【０００１】
本発明は、大きな温度差を有する環境間の境界面における、スプリンクラーシステムおよび設備に関する。
【背景技術】
【０００２】
消火のためのスプリンクラーシステムは、相互に、大きな温度差を有する隣接する領域を分離または封入する構造体を保護するために使用される。そのような構造体の例として、フリーザー、アパートのバルコニー、および倉庫の荷役口が挙げられる。これらの構造体はそれぞれ、温度が水の凝固点の上に維持される領域を、温度が凝固点の下に維持されるか、または凝固点の下に降下し得る領域から、分離する１つ以上の壁および／または天井を有する。
【０００３】
特に、水が好ましい消火液であるとき、水が配管網またはスプリンクラー内で凍結しないことを確実にするための措置を講じなければならないため、そのような構造体に防火を提供することは困難である。本課題を解決するために、温度制御された「暖温」環境（パイプ内の水は凍結しない）内に配管網を位置付け、配管網から構造体の天井または壁における開口部を通して「冷温」または非制御の環境内へ延在する「ドライ」式スプリンクラーアセンブリを提供することが公知である。そのようなドライ式スプリンクラーアセンブリの例は、特許文献１に開示されており、参照によって本明細書に組み込まれる。そのようなドライスプリンクラーアセンブリは、スプリンクラーと配管網との間に延在する細長い導管を有し、内側の弁が、スプリンクラーが火からの熱によって起動されるまで、スプリンクラーアセンブリを「ドライ」状態、すなわち、水のない状態に維持する。感熱式トリガ（例えば、火からの熱に曝されると壊れる液体で充填された易壊性バルブ）が、スプリンクラーを開放して、水の放出を可能にし、かつ、弁を開放するよう作用し、配管網から導管を通してスプリンクラーを通じ外へ水を流動させる。
【０００４】
先行技術のスプリンクラーシステムでは、ドライスプリンクラーアセンブリは、配管網に堅固に接続され、したがって、ドライスプリンクラーアセンブリが構造体の壁または天井を通して冷温または非制御の環境内へ延在するとき、補助的支持を要求しない。しかしながら、この堅固な設計は、開口部およびドライスプリンクラーアセンブリの相対的位置付けに関して厳密であって、構築および設置の際、アセンブリと開口部との間の精密な整合を要求する。開口部とスプリンクラーアセンブリ位置との間のより大幅なバリエーションが許容され得ることによって、そのようなシステムの設計および構築を簡略化するように、ドライスプリンクラーアセンブリと配管網との間の可撓性を可能にすることは、有利である。
【先行技術文献】
【特許文献】
【０００５】
【特許文献１】米国特許第５，９６７，２４０号明細書
【発明の概要】
【課題を解決するための手段】
【０００６】
本発明は、消火液を搬送する配管網と流体連通して接続可能なスプリンクラーアセンブリに関する。スプリンクラーアセンブリは、基材における開口部を通して延在可能である。スプリンクラーアセンブリは、基材の片側において配管網に接続可能な第１の端部と、基材の反対側に隣接して位置付けられる第２の端部とを有する導管を備える。アセンブリと関連付けられた弁は、液体が導管に流入しないように防止するための閉鎖位置と、液体を導管を通して流動させる開放位置との間で移動可能である。一実施形態では、弁は、導管内に位置付けられる。スプリンクラーは、導管の第２の端部に搭載される。外筒は、開口部内に位置付けられて導管を囲繞する。
【０００７】
一実施形態では、外筒は、導管の第１の端部に近接して位置付けられる。外筒の一部は、開口部から延在してもよい。アセンブリはさらに、基材の片側に位置付けられて開口部を囲繞するエスカッションを備える。エスカッションは、開口部から延在する外筒の一部に係合してもよい。
【０００８】
アセンブリはさらに、基材の片側に位置付けられて開口部を囲繞するエスカッションを備えてもよく、エスカッションは、例えば、ネジ山によって、導管に搭載される。
【０００９】
代替として、クランプが、導管に係合し、エスカッションに隣接して位置付けられてもよい。
【００１０】
外筒はまた、導管の第２の端部に近接して位置付けられてもよい。外筒の一部は、開口部から延在してもよい。本実施形態では、アセンブリはさらに、基材の反対側に位置付けられて開口部を囲繞するエスカッションを備えてもよく、エスカッションは、外筒の一部に係合する。エスカッションは、例えば、ネジ山によって、導管に搭載されてもよく、またはクランプが、エスカッションをそれに取着するために、導管に係合してもよい。代替として、エスカッションは、スプリンクラーに搭載されてもよい。
【００１１】
外筒は、導管の外向きに向いた表面と接触する内向きに向いた表面と、開口部内の基材の内向きに向いた表面と接触する外向きに向いた表面とを有してもよい。好ましくは、外筒の外向きに向いた表面は、先細である。アセンブリはさらに、導管を配管網に接続するために、導管の第１の端部に取着される可撓性ホースを備えてもよい。
【００１２】
消火液を搬送する配管網と流体連通して接続可能なスプリンクラーアセンブリの別の実施形態で、スプリンクラーアセンブリは、基材における開口部を通して延在可能であって、スプリンクラーアセンブリは、基材の片側において配管網に接続可能な第１の端部と、基材の反対側に隣接して位置付けられる第２の端部とを有する導管を備える。アセンブリと関連付けられた弁は、液体が導管に流入しないように防止する閉鎖位置と、液体を導管を通して流動させる開放位置との間で移動可能である。一実施形態で、弁は、導管内に位置付けられる。スプリンクラーは、導管の第２の端部に搭載される。第１の外筒は、開口部内に位置付けられて導管を囲繞する。第１の外筒は、導管の第１の端部に近接して位置付けられる。第２の外筒は、開口部内に位置付けられて導管を囲繞する。第２の外筒は、導管の第２の端部に近接して位置付けられる。
【００１３】
本発明はさらに、複数の相互に接続された基材によって画定される区画を備えるフリーザーを包含する。配管網が、区画の外側に位置付けられて消火液を供給する。フリーザーは、基材のうちの１つにおける開口部を通して延在する導管を備える少なくとも１つのスプリンクラーアセンブリを含む。導管は、１つの基材の片側において配管網に接続される第１の端部と、１つの基材の反対側に隣接して位置付けられる第２の端部とを有する。アセンブリと関連付けられた弁は、液体が導管に流入しないように防止する閉鎖位置と、液体を導管を通して流動させる開放位置との間で移動可能である。一実施形態で、弁は、導管内に位置付けられる。スプリンクラーは、導管の第２の端部に搭載され、外筒は、開口部内に位置付けられて導管を囲繞する。
【００１４】
代替実施形態で、フリーザーは、複数の相互に接続された基材によって画定される区画を備える。配管網が、区画の外側に位置付けられて消火液を供給する。スプリンクラーは、基材のうちの１つにおける開口部を通して延在する導管を備える少なくとも１つのスプリンクラーアセンブリを含む。導管は、１つの基材の片側において配管網に接続される第１の端部と、１つの基材の反対側に隣接して位置付けられる第２の端部とを有する。アセンブリと関連付けられた弁は、液体が導管に流入しないように防止する閉鎖位置と、液体を導管を通して流動させる開放位置との間で移動可能である。一実施形態で、弁は、導管内に位置付けられる。スプリンクラーは、導管の第２の端部に搭載される。第１の外筒は、開口部内に位置付けられて導管を囲繞し、第１の外筒は、導管の第１の端部に近接して位置付けられる。第２の外筒は、開口部内に位置付けられて導管を囲繞し、第２の外筒は、導管の第２の端部に近接して位置付けられる。
【００１５】
本発明はまた、基材によって相互に分離される温度制御された内部空間と外部空間とを備える構造を備えるスプリンクラー設備を含む。配管網が、温度制御された内部空間内に位置付けられて消火液を供給する。設備は、基材における開口部を通して延在する導管を備える少なくとも１つのスプリンクラーアセンブリを含む。導管は、配管網に接続される第１の端部と、外部空間に隣接して位置付けられる第２の端部とを有する。アセンブリと関連付けられた弁は、液体が導管に流入しないように防止する閉鎖位置と、液体を導管を通して流動させる開放位置との間で移動可能である。一実施形態で、弁は、導管内に位置付けられる。スプリンクラーは、導管の第２の端部に搭載され、外部空間内に延在する。第１の外筒は、開口部内に位置付けられて導管を囲繞する。第１の外筒は、導管の第１の端部に近接して位置付けられる。第２の外筒は、開口部内に位置付けられて導管を囲繞する。第２の外筒は、導管の第２の端部に近接して位置付けられる。
【図面の簡単な説明】
【００１６】
【図１】図１は、本発明によるフリーザースプリンクラー設備の部分的切り取り等角図である。
【図２】図２は、本発明によるスプリンクラー設備の部分的断面立面図である。
【図３】図３は、本発明によるスプリンクラーアセンブリの例示的実施形態の断面図である。
【図４Ａ】図４Ａおよび４Ｂは、本発明によるスプリンクラーアセンブリの別の例示的実施形態の断面図である。
【図４Ｂ】図４Ａおよび４Ｂは、本発明によるスプリンクラーアセンブリの別の例示的実施形態の断面図である。
【図５】図５〜８は、本発明によるスプリンクラーアセンブリの例示的実施形態の断面図である。
【図６】図５〜８は、本発明によるスプリンクラーアセンブリの例示的実施形態の断面図である。
【図７】図５〜８は、本発明によるスプリンクラーアセンブリの例示的実施形態の断面図である。
【図８】図５〜８は、本発明によるスプリンクラーアセンブリの例示的実施形態の断面図である。
【発明を実施するための形態】
【００１７】
図１は、防火のために、フリーザー１２内に設置されたスプリンクラーアセンブリ１０を示す。フリーザー１２は、複数の基材１４を備え、それらの複数の基材は、この例で、相互に接続された壁１６および天井１８を形成し、区画２０を画定する。配管網２２は、区画の外側に位置付けられ、消火液（例えば、水）をスプリンクラーアセンブリに供給する。フリーザー１２は、温度と湿度が制御された倉庫等の建物内に設置されてもよく、そこでは、周囲温度は、配管網２２内の水または他の消火液が凍結しないように維持される。
【００１８】
図２は、別の例示的スプリンクラー設備、本実施形態では、倉庫２８の荷役口２６を示す。倉庫２８は、基材３２（倉庫の外部壁）によって画定される温度制御された内部空間３０を備える。配管網２２は、内部空間内に位置付けられ、搬出口２６は、商品の集荷および配達のためのトラック３４を受容する外部空間（温度制御されていない）を備える。搬出口の局所外部空間は、本発明によるスプリンクラーアセンブリ１０によって保護される。他の類似設備もまた、実現可能である（例えば、温度制御が実際的ではない外部空間を備えるアパートのバルコニーは、温度と湿度が制御される隣接する内部空間（アパート）内に部分的に収められるスプリンクラーアセンブリによって保護される）ことが理解される。
【００１９】
図３は、本発明によるスプリンクラーアセンブリ１０の例示的実施形態を詳細に示す。アセンブリ１０は、基材１４の片側４０において、配管網２２に接続可能な第１の端部３８を有する導管３６を備える。配管網への接続は、可撓性ホース４２（例えば、波形金属ホース、または可撓性内側管状部材を囲繞する編組外側外筒を備えるホースであり得る）によって都合よくもたらされる。導管３６は、基材１４内の開口部４４を通して延在し、基材１４の反対側４８に隣接して位置付けられる第２の端部４６を有する。導管３６の第２の端部４６は、示されるように、基材から突出して延在してもよく、あるいは反対側４８の表面と同一平面またはその下方にあってもよい。スプリンクラー５０は、導管３６の第２の端部４６に搭載される。スプリンクラーは、アセンブリを開放し、火の上に放出するために、配管網２２からスプリンクラーへと水または他の消火液を流動させるように作用する感熱トリガ５２を有する。導管３６の第２の端部４６が、冷温環境（例えば、フリーザー区画内または建物の外側）に暴露されるため、導管は、通常、ドライ状態（すなわち、水のない状態）に維持され、導管内の凍結を防止する。弁５４（その例は、以下に詳細に説明される）は、導管３６内に位置付けられてもよく、火が、感熱トリガにスプリンクラーを開放させ、また、弁５４を開放し、それによって、導管３６を通してスプリンクラー５０へと水を流動させるまで、可撓性ホース４２内（および、温度制御された暖温環境内）に水を保持する。
【００２０】
スプリンクラーアセンブリ１０が、可撓性ホース４２によっては、配管網２２から適切に支持され得ない有意な重量を有するため、スプリンクラーアセンブリ１０を基材内に支持することは、都合よい。そのため、外筒５６が、開口部４４内に位置付けられ、導管３６を囲繞する。外筒５６は、天然ゴム、ＥＰＤＭ、Ｂｕｎａ  Ｎ、ＰＴＦＥ、シリコーン、コルク、または他の類似材料等の絶縁材料から形成されてもよい。外筒５６は、導管３６の外向きに向いた表面６０に接触する内向きに向いた表面５８を有する。外筒はまた、基材１４の開口部４４内の内向きに向いた表面６４に接触する外向きに向いた表面６２を有する。種々の表面間の摩擦が、導管を支持し、したがって、スプリンクラーアセンブリ１０を基材１４内に支持する。外筒５６の外向きに向いた表面６２は、開口部４４内への外筒の挿入を促進するために、示されるように、先細であってもよい。外筒５６は、スプリンクラーアセンブリの効果的支持のために必要とされる場合、示される例より長くてもよく、または短くてもよく、また、開口部４４内の導管３６の長さに沿った任意の場所に位置付けられてもよい。
【００２１】
図４Ａは、導管３６の第１の端部３８に近接して位置付けられる第１の外筒５６ａと、導管の第２の端部４６に近接して位置付けられる第２の外筒５６ｂとを有する本発明によるスプリンクラーアセンブリの別の実施形態６６を示す。同様に、外筒は、天然ゴム、ＥＰＤＭ、Ｂｕｎａ  Ｎ、ＰＴＦＥ、シリコーン、コルク、または他の類似材料等の絶縁材料から形成されてもよい。前述のように、各外筒５６ａおよび５６ｂは、導管の外向きに向いた表面６０に接触する内向きに向いた表面５８と、開口部４４内の基材１４の内向きに向いた表面６４に接触する外向きに向いた表面６２とを有してもよい。外筒５６ａおよび５６ｂの外向きに向いた表面６２は、先細であってもよく、それらの外筒は、スプリンクラーアセンブリを基材上に支持するように協働する。
【００２２】
スプリンクラーアセンブリ６６のための追加的支持が、基材１４の両側における開口部４４を囲繞するように位置付けられる一対のエスカッション６８および７０によって提供される。この例では、エスカッション６８は、導管３６の第２の端部４６に近接して位置付けられ、スプリンクラー５０との係合によってアセンブリに留保される。第２の外筒５６ｂの部分７２は、開口部４４から延在し、エスカッション６８によって係合されることに留意されたい。エスカッション７０は、導管３６の第１の端部３８に近接して位置付けられ、導管に搭載される。図４Ａに示される例では、エスカッション７０は、クランプ７４によって導管に留保され、そのクランプは、エスカッションと一体型であっても、示されるような別個の構成要素であってもよい。クランプ７４の締結は、それを導管に緊締させ、それによって、エスカッション６８および７０を基材１４の両側４８および４０のそれぞれの表面７６および７８と接触させて固定させ、アセンブリ６６に支持を提供する。第１の外筒５６ａの部分８０は、開口部４４から延在し、エスカッション７０によって係合される。
【００２３】
別のスプリンクラーアセンブリ実施形態８２が、図５に図示されており、そこでは、エスカッション７０は、エスカッションおよび導管それぞれの上に位置付けられる適合ネジ山８４および８６によって、導管３６に螺着固着される。エスカッション７０の回転は、そのエスカッションが基材表面７８と接触している場合、エスカッション６８を反対表面７６に接触させ、それによって、スプリンクラーアセンブリ８２を基材上およびエスカッション間に支持する。エスカッション６８は、想像線で示され、その想像線は、そのエスカッションがいくつかの方法のうちの１つによりアセンブリに取着され得ることを示すことに留意されたい。例えば、図６が、クランプ８８によって導管３６に取着されるエスカッション６８を示す一方、図７は、エスカッションおよび導管３６それぞれの上の適合ネジ山９０および９２により導管３６に螺着取着されるエスカッション６８を示す。図６および７に示される例示的実施形態では、導管の第２の端部４６が、開口部４４から基材の表面７６を越えて延在することに留意されたい。エスカッション７０は、図６および７では想像線で示され、それらの図は、そのエスカッションがアセンブリに支持を提供するいくつかの方法のうちの任意の１つにより導管３６に搭載され得ることを示す。
【００２４】
図８は、基材表面７６および７８にそれぞれ接触するプレート８５、８７を使用することにより、スプリンクラーアセンブリによって基材１４に課される負荷を分散させるのに役立つスプリンクラーアセンブリ実施形態を示す。表面７６に係合して示されるように、プレート８５は、表面とスプリンクラー５０に搭載されるエスカッション６８との間に捕捉される。反対表面７８に係合するプレート８７は、導管３６に螺着される六角ナット８９によって、表面に対して定位置に保持される。ナット８９は、圧縮ナットとして作用し、締結の際に、スプリンクラーアセンブリを基材に固着させる。
【００２５】
実現可能設備のいずれかに適用可能である例示的スプリンクラーアセンブリの作用は、図４Ａおよび４Ｂを参照して説明される。図４Ａに示されるように、この例では導管３６内に位置付けられる弁５４は、閉鎖構成にあり、水または他の消火流体を可撓性ホース４２および配管網２２内に保持することによって、導管３６をドライ状態に維持する。閉鎖構成では、弁閉鎖部材９４は、ロッド９８によって、導管３６の第１の端部３８に近接して導管３６内に位置付けられる座部９６と密閉係合で保持される。ロッド９８は、弁閉鎖部材９４から導管３６を通して、スプリンクラー５０の開口部１０２を被覆するキャップ１００まで延在する。キャップ１００は、スプリンクラーアーム１０４によって支持される感熱トリガ５２によって定位置に保持される。感熱トリガ５２は、例えば、感熱液体で充填された易壊性ガラスバルブであっても、または精密に規定された溶融温度を有する半田によって一緒に保持された機構であってもよい。ロッド９８は、座部９６とロッド９８に取着された安定化スパイダー１０８との間で作用するバネ要素１０６によって付勢され、したがって、そのロッドが取着される閉鎖部材９４も、付勢されて、開放構成になる。図４Ｂに示されるように、火からの熱が、トリガ５２を破壊するか、または粉々にすると、トリガ５２は、もはやキャップ１００を支持せず、ロッド９８の作用を介してバネ１０６の圧縮力と弁閉鎖部材９４に作用する水圧とに曝される。スプリンクラーアセンブリのいかなる部分にも固定して取着されていないキャップ１００は、外れ、ロッド９８を解放する。その時点では拘束されていないロッド９８は、バネ１０６の付勢力と弁閉鎖部材９４に対する水圧との下で、スプリンクラー５０に向かって移動することにより、弁閉鎖部材を脱座させ、それによって、水１１０を導管３６を通して流動させ、スプリンクラー５０から火の上に放出させる。
【００２６】
本発明によるスプリンクラーアセンブリは、基材内にスプリンクラーアセンブリを支持することによって配管網から（堅固にではなく）保護されている構造を形成することにより、消火システムの設計および構築におけるより大きい柔軟性を可能にする。
【図１】
2014525277.tif 000003
【図２】
2014525277.tif 000004
【図３】
2014525277.tif 000005
【図４Ａ】
2014525277.tif 000006
【図４Ｂ】
2014525277.tif 000007
【図５】
2014525277.tif 000008
【図６】
2014525277.tif 000009
【図７】
2014525277.tif 000010
【図８】
2014525277.tif 000011
【国際調査報告】
2014525277.tif 000012